(57)【特許請求の範囲】
【請求項１】
人体から放射される赤外線エネルギの変化量に応じた大きさの電気信号を発生するセンサ部と、前記センサ部の発生する電気信号を増幅する帯域増幅部と、前記帯域増幅部により増幅された信号を所定の閾値と比較する比較部とから構成されるセンサユニットを有し、前記センサユニットと接続電線を介して接続され、前記比較部での比較結果を基に信号処理を行う信号処理部を備えた空気調和機であって、前記信号処理部はセンサユニットの電源電圧をＯＮ状態としてから前記比較部より所定時間内に入力される電圧レベルが、正常時とは異なる電圧レベルであって当該電圧レベルが前記比較部の閾値範囲内を通過する間に生じる電圧パルス幅より長い間監視して異常判定を行うとともに、更に前記信号処理部はセンサユニットの電源電圧をＯＮ状態としてから前記比較部より所定時間後に入力される電圧レベルが、正常時とは異なる電圧レベルであって当該電圧レベルを前記センサ部が人体検出したことによって生じるパルス電圧幅より長い時間継続監視して異常判定を行うことを特徴とする空気調和機。
【発明の詳細な説明】
【技術分野】
【０００１】
本発明は、室内機に人の在否を検知する人体検知装置を設けた空気調和機に関するものである。
【背景技術】
【０００２】
従来、この種の空気調和機は、受動型赤外線センサを用いて人の在否を検出する回路が正常に機能しているか否かを検知し異常判定する方法として、擬似信号を発生させ、検出回路出力の反応有無を診断している。擬似信号発生手段として、センサケース内に発光素子または発熱素子を付加するものがある（例えば、特許文献１参照）。また、パルス発生回路を付加しているものもある（例えば、特許文献２参照）。
【０００３】
図１１は、特許文献１に記載された従来の受動型赤外線センサを用いて人の在否を検出する回路を示すものである。図１１に示すように、焦電型検出素子１０２と、赤色ＬＥＤ１０７と、増幅器１０３と、判別回路（防犯検知器）１０５と、切換スイッチ１１２と、タイマー１１５と、故障検知器１１４とから構成されている。
【０００４】
タイマー１１５が作動していないときには、焦電型検出素子１０２の出力は増幅器１０３を介して防犯報知器１０５に接続されており、防犯報知器１０５は焦電型検出素子１０２で侵入者からの遠赤外線Ｌ１を検出したときに警報を発するので、通常の防犯装置として機能する。これに対して、所定時間毎にタイマー１１５が作動すると、焦電型検出素子１０２の出力は増幅器１０３を介して故障報知器１１４に接続され且つセンサケース内の赤色ＬＥＤ１０７が発光する。故障報知器１１４は、防犯報知器１０５と逆の作動を行うものであって、焦電型検出素子１０２で赤色ＬＥＤ１０７からの赤色光Ｌ２を検出しないときに警報を発する。従って焦電型検出素子１０２が故障していれば警報が発せられることになる。
【０００５】
図１２は、特許文献２に記載された従来の受動型赤外線センサを用いて人の在否を検出する回路を示すものである。図１２に示すように、焦電型検出素子１０２と、増幅器１０３と、帯域濾波器１０４ａ、１０４ｂと、判別回路１０５と、パルス発生回路１２２とから構成されている。
【０００６】
焦電型検出素子１０２に赤外線が照射されると、電圧が変化し、増幅器１０３に導かれる。一方、パルス発生回路１２２は３０Ｈｚ程度のパルスを発生する。パルス発生器１２２から出力されるパルスによって電圧が発生し、増幅器１０３に導かれる。
【０００７】
増幅器１０３で増幅された電圧は、帯域濾波器（ＢＰＦＨ）１０４ａ、（ＢＰＦＬ）１０４ｂに供給される。ＢＰＦＨ１０４ａは１０〜３０Ｈｚ程度の高周波成分を抽出し、ＢＰＦＬ１０４ｂは０．３〜１０Ｈｚ程度の低周波成分を抽出する。即ち、ＢＰＦＨ１０４ａは、パルス発生回路１２２から出力されたパルスの周波数成分を抽出するものであり、焦電型検出素子１０２の故障あるいは回路中に断線等の異常がなければパルス発生回路１２２から出力されたパルスの周波数成分はＢＰＦＨ１０４ａで抽出される。これに対して、人間が侵入した場合の焦電型検出素子１０２の出力の周波数は０．３〜３Ｈｚ程度であり、ＢＰＦＬ１０４ｂは当該周波数成分を抽出する。
【０００８】
判別回路１０５はＢＰＦＨ１０４ａ、ＢＰＦＬ１０４ｂの出力の有無を判別する。即ち、ＢＰＦＨ１０４ａから出力が得られている場合は焦電型検出素子１０２及び回路は正常に機能していると判断し、出力が得られない場合には焦電型検出素子１０２あるいは回路
に異常が生じていると判断して図示しない受信機に信号を送る。
【０００９】
また、ＢＰＦＬ１０４ｂから出力が得られない場合には侵入者無しと判断するが、出力が得られた場合には侵入者有りとして受信機に警報のための信号を送る。
【特許文献１】実開昭６０−１０４９９３号公報
【特許文献２】特開平４−３１５２９５号公報
【発明の開示】
【発明が解決しようとする課題】
【００１０】
しかしながら、前記従来の構成では、異常判定のために赤色ＬＥＤやパルス発生回路等の付加回路が必要であるために、部品コストや製造コストが高くなるという課題を有していた。また、付加回路自身が故障等で正常に機能しない場合でも、人の在否を検出する回路の異常と判定してしまうという課題を有していた。
【００１１】
本発明は、前記従来の課題を解決するもので、特にセンサユニットから信号処理部までの距離が遠く、その間を長い接続電線で引き廻すような構成においては接続電線の劣化による断線や、センサユニット交換などのサービス時に誤接続や接続忘れが発生するおそれがあり、付加回路を使わずに、これら不具合発生時の異常判定を簡易で安価な構成にて実現可能とした空気調和機を提供することを目的とする。
【課題を解決するための手段】
【００１２】
前記従来の課題を解決するために、本発明の空気調和機は、人体から放射される赤外線エネルギの変化量に応じた大きさの電気信号を発生するセンサ部と、前記センサ部の発生する電気信号を増幅する帯域増幅部と、前記帯域増幅部により増幅された信号を所定の閾値と比較する比較部とから構成されるセンサユニットを有し、前記センサユニットと接続電線を介して接続され、前記比較部での比較結果を基に信号処理を行う信号処理部を備えた空気調和機であって、前記センサユニットの電源電圧をＯＮ状態としてから所定時間内に前記信号処理部に入力される電圧レベルが、正常時とは異なる電圧レベルであって当該電圧レベルが前記比較部の閾値範囲内を通過する間に生じる電圧パルス幅より長い間監視して異常判定を行うとともに、更に前記信号処理部はセンサユニットの電源電圧をＯＮ状態としてから前記比較部より所定時間後に入力される電圧レベルが、正常時とは異なる電圧レベルであって当該電圧レベルを前記センサ部が人体検出したことによって生じるパル
ス電圧幅より長い時間継続監視して異常判定を行うものである。
【００１３】
これによって、付加回路を使わずに、センサユニットと信号処理部とを接続する接続電線の劣化による断線や接続不良および、センサユニット交換時の接続忘れ等、不具合発生時の異常判定を簡易で安価な構成にて実現可能となる。また、付加回路を使わないので、付加回路自身の故障による誤診断の恐れがない。
【発明の効果】
【００１４】
本発明の空気調和機は、付加回路を使わずに、センサユニットと信号処理部とを接続する接続電線の劣化による断線や接続不良および、センサユニット交換時の接続忘れ等、不具合発生時の異常判定を簡易で安価な構成にて実現可能となる。また、付加回路を使わないので、付加回路自身の故障による誤診断の恐れがなく、信頼性の高い人体検知センサを設けた空気調和機を安価に提供することができる。
【発明を実施するための最良の形態】
【００１５】
この発明は、人体から放射される赤外線エネルギの変化量に応じた大きさの電気信号を発生するセンサ部と、前記センサ部の発生する電気信号を増幅する帯域増幅部と、前記帯域増幅部により増幅された信号を所定の閾値と比較する比較部とから構成されるセンサユニットを有し、前記センサユニットと接続電線を介して接続され、前記比較部での比較結果を基に信号処理を行う信号処理部を備えた空気調和機であって、前記センサユニットの電源電圧をＯＮ状態としてから所定時間内に前記信号処理部に入力される電圧レベルが、正常時とは異なる電圧レベルであって当該電圧レベルが前記比較部の閾値範囲内を通過する間に生じる電圧パルス幅より長い間監視して異常判定を行うとともに、更に前記信号処理部はセンサユニットの電源電圧をＯＮ状態としてから前記比較部より所定時間後に入力される電圧レベルが、正常時とは異なる電圧レベルであって当該電圧レベルを前記センサ部が人体検出したことによって生じるパルス電圧幅より長い時間継続監視して異常判定を行うことにより、付加回路を使わずに、センサユニトと信号処理部とを接続する接続電線の劣化による断線や接続不良および、センサユニット交換時の接続忘れ等、不具合発生時の異常判定を簡易で安価な構成にて実現することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機のブロック図を示すものである。
【００２０】
図１において、赤外線センサユニットＡは、光学レンズ部１と、焦電型赤外線センサ２と、帯域増幅部３と、比較部４とで構成される。
【００２１】
所定の検知エリア内にいる人体から放射される赤外線は、光学レンズ部１で焦電型赤外線センサ２に集光され、焦電型赤外線センサ２は入射した赤外線エネルギの変化を検出して変化量に応じた大きさの電気信号を出力する。帯域増幅部３が、この電気信号を増幅し、不要な周波数成分を除去して必要な周波数成分の信号のみを出力すると、この出力と所定の閾値との高低を比較部４で比較し、比較結果に応じてＨｉまたはＬｏレベルのデジタル信号を出力する。
【００２２】
この赤外線センサユニットＡの構成は一般的かつ人の在否を検知する機能を満足する為に必要な回路であり、従来技術もほぼ同様の構成を有する。
【００２３】
比較部４から出力されたデジタル信号は、信号線７ａを介して、エアコンの室内機を制御する電子制御装置Ｂ内部の信号処理部５に入力される。また電子制御装置Ｂ内部にはこの他にセンサユニットＡの電源電圧をＯＮ／ＯＦＦする電源スイッチ６を備えている。センサユニットＡと電子制御装置Ｂは信号線７ａおよび電源線７ｂからなる接続電線７により接続されている。
【００２４】
尚、比較部４がない替わりに信号処理部５でＡ／Ｄ変換処理をすることで同様の機能を持たせる場合もあるが、その場合でも本実施の形態の発明内容を応用することは可能である。
【００２５】
図２は、本発明の第１の実施の形態における空気調和機の室内機を示しており、（ａ）
は正面図、（ｂ）は上部に設けられた人体検知装置のカバーを取り外した状態の正面図、（ｃ）は側面図を示すものである。
【００２６】
図３は、本発明の第１の実施の形態における室内機の前面パネルが前面開口部を開放した状態の図１（ｂ）の室内機を示しており、（ａ）は斜視図、（ｂ）は側面図を示すものである。
【００２７】
図２、図３において、室内機は、部屋の壁面などに固定される室内機本体８と、本体８の前面開口部（吸込口）８ａを開閉自在の合成樹脂製の可動前面パネル（以下、単に前面パネルという）（可動パネルの一例）９を有しており、空気調和機の運転停止時は、前面パネル９は本体８に密着して前面開口部８ａを閉じているのに対し、空気調和機の運転開始時は、前面パネル９は本体８から離反する方向に移動して前面開口部８ａを開放する。センサユニットＡと電子制御装置Ｂとは空気調和機のそれぞれ図示した部分に収納されており、接続電線７により接続されている。
【００２８】
図４は、室内機の縦断面図を示しており、（ａ）は図２（ｂ）の室内機の縦断面図を、（ｂ）は図３（ａ）の室内機の縦断面図を示すものである。
【００２９】
図４に示されるように、本体８の内部には、熱交換器１３と、前面開口部８ａ及び上面開口部８ｂから取り入れられた室内空気を熱交換器１３で熱交換して室内に吹き出すためのファン１４と、熱交換した空気を室内に吹き出す吹出口１５を開閉するとともに空気の吹き出し方向を上下に変更する上下羽根１６と、空気の吹き出し方向を左右に変更する左右羽根１７とを備えている。さらに、前面パネル９の上部は、その両端部にそれぞれＸ字状に交差して設けられた２本のアーム１８，２０を介して本体８の上部に開閉可能に連結されている。それぞれの２本のアーム１８，２０のうちの一方のアーム１８の本体側の端部（図４（ｂ）ではアーム１８の右上端部）は本体８の上部に回転可能に支持されるとともに、それぞれの他方のアーム２０の本体側の端部（図４（ｂ）ではアーム２０の右下端部）は本体８の上部に大略上下方向沿いに移動可能に支持されている。
【００３０】
また、それぞれの一方のアーム１８の前面パネル側の端部（図４（ｂ）ではアーム１８の左下端部）は前面パネル９の上部に回転可能に支持されるとともに、それぞれの他方のアーム２０の前面パネル側の端部（図４（ｂ）ではアーム２０の左上端部）は前面パネル９の上部に大略上下方向沿いに移動可能に支持されている。それぞれの２本のアーム１８，２０は、その大略中間部でピン１９により互いに回転自在に連結されており、大略上下方向沿いでかつ大略一直線状に折り畳まれた収納状態（閉状態）（図４（ａ））と、２本のアーム１８，２０の両端部が互いに離れる方向に移動した展開状態（開状態）（図４（ｂ））との間で移動可能となっている。
【００３１】
よって、一方のアーム１８の端部（図４（ｂ）ではアーム１８の右上端部）に相対回転不可に連結された駆動モータ（図示せず）を駆動制御することで、一方のアーム１８の駆動モータ側の端部が回転駆動されて、２本のアーム１８，２０が、大略一直線状に折り畳まれた収納状態から２本のアーム１８，２０の両端部が互いに離れる方向に移動した展開状態に移動することにより、空気調和機の運転開始時、本体８に対して前面パネル９は、空気調和機の運転停止時の位置（前面開口部８ａの閉塞位置）から前方斜め上方に向かって移動する。
【００３２】
図２（ｂ）（ｃ）等に示されるように、前面パネル９の中央上部には、複数（例えば、五つ）のセンサユニット２６，２８，３０，３２，３４が、前面パネル９の主平面から突出した状態で電装品の一例である人体検知装置２０として、直に取り付けられている。これらのセンサユニット２６，２８，３０，３２，３４は、図５に示されるように、センサ
ホルダ３６に保持されている。なお、人体検知装置２０は、その前面側が図２（ａ）に示されるように大略弓形の合成樹脂製の表面カバー２１で覆われており、図２（ｂ）はカバー２１を取り外した状態を示している。
【００３３】
各センサユニット２６，２８，３０，３２，３４を前面パネル９の上部に設けたのは、図６（ａ）に示されるように、各センサユニット２６，２８，３０，３２，３４の視野範囲を拡大して遠方視野を最大限確保するためである。また、図６（ｂ）に示されるように、運転開始時に前面パネル９を停止位置より前方に移動させることで、より遠くまで視野範囲を確保することができるとともに、図６（ｃ）に示されるように、前面パネル９を停止位置より斜め上方に移動させることで視野範囲をさらに拡大することができる。なお、各センサユニット２６，２８，３０，３２，３４の位置は前面パネル９の上部に限定されるわけではない。
【００３４】
また、図６（ｄ）に示されるように、各センサユニット２６，２８，３０，３２，３４を前面パネル９の主平面（外郭面）から前方に突出させて設けることで、各センサユニット２６，２８，３０，３２，３４をより前方に配置することができ、図６（ｂ）〜（ｄ）に示されるように、室内機の構成部（例えば、上下羽根１６や、前面開口部８ａを開放状態の前面パネル９など）による死角発生を防止して視野範囲を拡大させることができる。
【００３５】
図７は、本発明の第１の実施の形態における空気調和機の帯域増幅部、比較部、信号処理部の具体回路図を示すものである。
【００３６】
図７において、帯域増幅部３は前段、後段のオペアンプＯＰ１，ＯＰ２、帯域制限用の抵抗Ｒｓ１，Ｒｓ２，Ｒｆ１，Ｒｆ２、コンデンサＣｓ１，Ｃｓ２，Ｃｆ１，Ｃｆ２、後段ＯＰ２の出力バイアス電圧を設定する抵抗Ｒｂ１，Ｒｂ２などで構成されている。また比較部４はコンパレータＣＰ１，ＣＰ２、抵抗Ｒｔｈ１，Ｒｔｈ２，Ｒｔｈ３などでウィンドコンパレータ回路を構成している。
【００３７】
ここで、正常時の帯域増幅部３及び比較部４の各部電圧Ｖ１，Ｖ２，Ｖ３，Ｖ４，Ｖ５，Ｖ６について、状態Ｉ〜ＶＩまでの各状態を次のように定義し、図８を参照しながら各状態における詳細動作を説明する。
【００３８】
図８の状態Ｉは電源スイッチ６によりセンサユニットＡへの通電がＯＦＦ状態の期間であり、比較部４のＣＰ１・ＣＰ２は動作しない。信号処理部５への入力は電子制御装置Ｂ内部の電源電圧１０（Ｖｄｄ）によりプルアップされるため、信号処理部５に入力される電圧レベルＶ６はＨｉレベル（Ｖｄｄ）となる。
【００３９】
次に電源スイッチ６をオンさせると状態ＩＩに移行し、センサユニットＡへは電子制御装置Ｂの電源電圧１０から電源スイッチ６を介して電圧が供給される。その結果、赤外線センサの出力電圧Ｖ１はＶｓとなり、ＯＰ１の（−）端子電圧Ｖ２はもう一方の（＋）端子とイマジナリショートする電圧Ｖｓまで増加する。センサユニットＡの電源電圧１１をＶｉとするとＶ１は（数１）で表せる。
【００４０】
【数１】
0005070970.tif 000002
但し、
0005070970.tif 000003
，
0005070970.tif 000004
，
0005070970.tif 000005
，
0005070970.tif 000006
，
0005070970.tif 000007
，
0005070970.tif 000008
，
0005070970.tif 000009
【００４１】
である。ここで、ＯＰ１の出力電圧Ｖ３はＶ１がＶｓに略一致するまでＯＰ１の出力電圧範囲の上限値Ｖｏｈ１で張り付き、反転入力アンプである後段のＯＰ２の出力電圧Ｖ５は出力電圧範囲の下限値Ｖｏｌ２で張り付くこととなる。比較部４では、設定閾値電圧範囲（Ｖｔｈ１〜Ｖｔｈ２）外であるＶ５が入力されると、信号処理部５の電圧レベルＶ６はＬｏレベル（≒０）となる。
【００４２】
次にＯＰ１の（−）端子電圧Ｖ２がＶｓに略一致した時に状態IIIに移行する。Ｖ３はＯＰ１の出力電圧範囲の上限値Ｖｏｈ１からＶｓに略一致するまで（数２）に従い放電される。
【００４３】
【数２】
0005070970.tif 000010
但し、
0005070970.tif 000011
，
0005070970.tif 000012
であり、ｔは
0005070970.tif 000013
【００４４】
を満足する範囲とする。ここで、ＯＰ２の（−）端子電圧Ｖ４はＯＰ１の出力電圧Ｖ３の直流成分をカットした電圧であり、ＯＰ２の（＋）端子電圧Ｖｂと略一致した時、Ｖ５はＯＰ２の出力電圧範囲下限値Ｖｏｌ２から出力電圧範囲上限値Ｖｏｈ２まで立ち上がる。この時、Ｖ５は比較部４の閾値範囲（Ｖｔｈ１〜Ｖｔｈ２）内を通過するため、信号処理部５の電圧レベルＶ６にはＨｉレベルの比較的狭い幅１０ｍｓ程度のパルスが入力されることになる。
【００４５】
状態ＩＶはＶ４がＶｓに達してからＶｂに達するまでの期間である。Ｖｂは、回路図上のＲｂ１とＲｂ２で得られるバイアス電圧である。Ｖ４は（数３）に従ってＶｂ
ま
で充電される。
【００４６】
【数３】
0005070970.tif 000014
但し、
0005070970.tif 000015
，
0005070970.tif 000016
，
0005070970.tif 000017
，
0005070970.tif 000018
，
0005070970.tif 000019
，
0005070970.tif 000020
，
0005070970.tif 000021
【００４７】
とする。この期間、信号処理部５に入力される電圧レベルＶ６はＬｏレベルとなる。
【００４８】
状態ＶはＶ５がＯＰ２の出力電圧範囲の上限値Ｖｏｈ２から比較部４のウィンドコンパレータの高電圧側閾値電圧Ｖｔｈ２に達するまでの期間である。Ｖ５は（数４）で表せる。
【００４９】
【数４】
0005070970.tif 000022
但し、
0005070970.tif 000023
，
0005070970.tif 000024
であり、ｔは
0005070970.tif 000025
【００５０】
を満足する範囲とする。期間ＩＶ同様に期間Ｖでは信号処理部５に入力される電圧レベルＶ６はＬｏレベルとなる。
【００５１】
最後にＶ５がＶｔｈ２に達すると状態ＶＩとなる。状態ＶＩでは信号処理部５に入力される電圧レベルＶ６はＨｉレベル（Ｖｄｄ）で定常状態となる。
【００５２】
即ち、焦電型赤外線センサ２が入射した赤外線エネルギの変化を検出しなければ（人検
知がなければ）、Ｖ５＝Ｖｂ、Ｖ６はＨｉレベルのまま一定であるが、焦電型赤外線センサ２が入射した赤外線エネルギの変化を検出すれば（人検知があれば）、Ｖ６はＬｏレベルとなり、信号線７ａを介して電子制御装置Ｂ内部の信号処理部５に入力される。
【００５３】
信号処理部５での処理によって、最終的に人検知と判断されれば、室内機本体８のファン１４や、上下羽根１６、左右羽根等を制御して、検知した人のいる方向に風向を変える等の制御を行って、省エネ運転等を行う。
【００５４】
続いて、異常時の回路動作について図９、図１０を参照して説明する。
【００５５】
図９は、接続線に関わる異常時の各状態での電圧レベルのタイムチャート、図１０は、回路に関わる異常時の各状態での電圧レベルのタイムチャートを示すものである。
【００５６】
図９において、接続電線７の接続忘れあるいは接続電線の劣化等による比較部４から信号処理部５への信号線７ａおよび電源線７ｂ、７ｃが断線した場合、信号処理部５に入力される電圧レベルＶ６は電子制御装置Ｂ内部の抵抗１２でプルアップされるため、状態Ｉ〜Ｖの期間全てにおいてＨｉレベル（Ｖｄｄ）で固定される。
【００５７】
つまり、状態Ｉと状態ＶＩにおいては正常時と断線時で信号処理部５に入力される電圧レベルＶ６はＨｉレベルで同一であるが、状態II、III、ＩＶ、Ｖの期間では異なるので、この期間にＶ６がＨｉレベルか否かによって正常か異常かが判定でき、容易に断線時の判定が可能となる。なお、状態IIの期間で信号処理部５に入力される電圧レベルＶ６は１０ｍｓ程度Ｈｉレベルとなるが、このパルス幅よりも十分に長い時間（例えば５秒間）継続することを条件に、Ｈｉレベルの判定を実施すれば良い。
【００５８】
図１０において、接続線７が原因の異常とは別に帯域増幅部３、比較部４の回路が故障した場合、信号処理部５に入力される電圧レベルＶ６は、状態II〜ＶＩでＬｏレベルとなる。
【００５９】
つまり、状態Ｉ〜Ｖまでは正常時と信号処理部５の電圧レベルＶ６はＬｏレベルで同一であるが、状態ＶＩの期間では異なるので、この期間にＶ６がＬｏレベルか否かによって正常か異常かが判定でき、容易に帯域増幅部や比較部の故障時の判定が可能となる。なお、正常時の状態ＶＩの期間では人検知信号により約１ｓ程度のＬｏレベルのパルスが入力する場合があるが、このパルス幅よりも十分に長い時間（例えば１０秒間）Ｌｏレベルが継続することを条件に異常と判断することが可能となる。
【００６０】
以上のように、本実施の形態においては、センサ部２と、帯域増幅部３と、比較部４とから構成されるセンサユニットＡの電源電圧をＯＮ状態としてから所定時間内に、信号処理部５に入力される電圧レベルＶ６から異常判定を行うことにより、付加回路を使わずに、センサユニットＡと信号処理部５とを接続する接続電線７の劣化による断線や接続不良および、センサユニット交換時の接続忘れ等、不具合発生時の異常判定を簡易で安価な構成にて実現することができる。
【００６１】
また、本実施の形態ではセンサ部２と、帯域増幅部３と、比較部４とから構成されるセンサユニットＡの電源電圧をＯＮ状態としてから所定時間後に、信号処理部５に入力される電圧レベルＶ６から異常判定を行うことにより、付加回路を使わずに、センサ部２や帯域増幅部３、比較部４における不具合発生時の異常判定を簡易で安価な構成にて実現することができる。
【産業上の利用可能性】
【００６２】
以上のように、本発明にかかる空気調和機は、付加回路を使わず基本回路のみで、電圧レベルから接続電線や帯域増幅部、比較部等の不具合発生時の異常判定を簡易で安価な構成にて実現が可能となるので、空気清浄機、便座ヒーター等、人体検知装置を利用する種々の機器等の用途にも適用できる。
【図面の簡単な説明】
【００６３】
【図１】本発明の実施の形態１における空気調和機のブロック図
【図２】本発明の実施の形態１における空気調和機の室内機の（ａ）は正面図（ｂ）は上部に設けられた人体検知装置のカバーを取り外した状態の正面図（ｃ）は側面図
【図３】本発明の実施の形態１における室内機の前面パネルが前面開口部を開放した状態の（ａ）は斜視図（ｂ）は側面図
【図４】本発明の実施の形態１における室内機の上部に設けられた人体検知装置のカバーを取り外した状態の（ａ）は前面パネルが前面開口部を閉鎖した状態の縦断面図（ｂ）は前面パネルが前面開口部を開放した状態の縦断面図
【図５】本発明の実施の形態１における人体検知装置の（ａ）は正面図（ｂ）は側面図（ｃ）は斜視図
【図６】本発明の実施の形態１における人体検知装置の取付位置の変化に基づく視野範囲の変化を示す概略図
【図７】本発明の実施の形態１における空気調和機の帯域増幅部、比較部、信号処理部の具体回路図
【図８】本発明の実施の形態１における正常時の各状態での電圧レベルのタイムチャート
【図９】本発明の実施の形態１における接続線に関わる異常時の各状態での電圧レベルのタイムチャート
【図１０】本発明の実施の形態１における回路に関わる異常時の各状態での電圧レベルのタイムチャート
【図１１】従来の従来の受動型赤外線センサを用いて人の在否を検出する回路図
【図１２】従来の従来の受動型赤外線センサを用いて人の在否を検出する回路図
【符号の説明】
【００６４】
１  光学レンズ部
２  焦電型赤外線センサ
３  帯域増幅部
４  比較部
５  信号処理部
６  電源スイッチ
７  接続電線
７ａ  信号線
７ｂ  電源線
８  室内機本体
８ａ  前面開口部
８ｂ  上面開口部
９  可動前面パネル
１０  電子制御装置Ｂ内部の電源電圧（Ｖｄｄ）
１１  センサユニットＡの電源電圧（Ｖｉ）
１２  抵抗
１３  熱交換器
１４  ファン
１５  吹出口
１６  上下羽根
１７  左右羽根
１８、２０  アーム
１９  ピン
２１  カバー（電装品カバー）
２２  人体検知装置
２６、２８、３０、３２、３４  センサユニット
３６  センサホルダ
１０２  焦電型検出素子
１０３  増幅器
１０４ａ、１０４ｂ  帯域濾波器
１０５  判別回路（防犯検知器）
１０７  赤色ＬＥＤ
１１２  切換スイッチ
１１４  故障検知器
１１５  タイマー
１２２  パルス発生回路
Ａ  センサユニット
Ｂ  電子制御装置
【図１】
0005070970.tif 000026
【図２】
0005070970.tif 000027
【図３】
0005070970.tif 000028
【図４】
0005070970.tif 000029
【図５】
0005070970.tif 000030
【図６】
0005070970.tif 000031
【図７】
0005070970.tif 000032
【図８】
0005070970.tif 000033
【図９】
0005070970.tif 000034
【図１０】
0005070970.tif 000035
【図１１】
0005070970.tif 000036
【図１２】
0005070970.tif 000037